【事件の表示】
　特許第６２９８０９７号に関する訂正審判事件について、次のとおり審決する。
【結　論】
　特許第６２９８０９７号の明細書及び特許請求の範囲を本件審判請求書に添付された訂正明細書及び特許請求の範囲のとおり訂正することを認める。
【理　由】
第１　事案の概要 
１　手続の経緯　
　特願２０１６−８６９９３号は、平成２５年３月４日に出願した特願２０１３−４１４０７号の一部を平成２８年４月２５日に新たな特許出願としたものであるところ、平成３０年２月２日に特許査定され、その後、請求項１に係る発明について、平成３０年３月２日に特許権の設定の登録がされた（特許第６２９８０９７号、以下「本件特許」という。）。　
　　
２　請求の趣旨及び訂正の内容　
　平成３０年３月２７日、特許権者は、訂正審判を請求した。　
　請求の趣旨は、「特許第６２９８０９７号の明細書及び特許請求の範囲を本件審判請求書に添付した訂正明細書及び特許請求の範囲のとおり訂正することを認める、との審決を求める。」である。また、請求人が求める訂正の内容は、以下のとおりである。　
（１）訂正事項１　
　本件特許の特許請求の範囲の請求項１に「特定表示」と記載されているのを「保留表示」に訂正する。
　すなわち、本件特許の特許請求の範囲の請求項１に、
「可変表示を行い、遊技者にとって有利な有利状態に制御可能な遊技機であって、
　可変表示に対応する特定表示を表示する特定表示手段と、
　前記有利状態に制御されるか否かを判定する判定手段とを備え、
　特定表示の表示態様は、通常態様と特殊態様と特別態様とを含み、
　前記判定手段の判定結果にもとづいて、特定表示を特別態様により表示する特別演出を実行可能な特別演出実行手段と、
　特定表示の表示態様が変化することを示唆する示唆演出を実行可能な示唆演出実行手段とをさらに備え、
　特殊態様により表示されている特定表示は、通常態様により表示されている特定表示よりも特別態様に変化しやすく、
　前記示唆演出実行手段は、
　特定表示が特殊態様により表示されているときに、示唆演出を実行する場合と、実行しない場合とがあり、
　演出後に保留表示の表示態様が変化する第１示唆演出と、演出後に保留表示の表示態様が変化しない第２示唆演出とを実行可能であり、
　特定表示が特殊態様により表示されているときには、特定表示が特殊態様により表示されていないときに比べて高い頻度で第２示唆演出を実行し、
　複数種類の示唆演出を実行可能であることを特徴とする遊技機。」
　と記載されているのを、
　「可変表示を行い、遊技者にとって有利な有利状態に制御可能な遊技機であって、
　可変表示に対応する
保留
保留
　前記有利状態に制御されるか否かを判定する判定手段とを備え、
　
保留
　前記判定手段の判定結果にもとづいて、
保留
　
保留
　特殊態様により表示されている
保留
保留
　前記示唆演出実行手段は、
　
保留
　演出後に保留表示の表示態様が変化する第１示唆演出と、演出後に保留表示の表示態様が変化しない第２示唆演出とを実行可能であり、
　
保留
保留
　複数種類の示唆演出を実行可能であることを特徴とする遊技機。」
　と訂正する。
　
　なお、下線は当合議体が付したものであり、訂正箇所を表す。以下同様。
　　
（２）訂正事項２
　本件特許の明細書に
「【０００９】
（手段１）本発明による遊技機は、可変表示（例えば、第１特別図柄や第２特別図柄、演出図柄の変動表示）を行い、遊技者にとって有利な有利状態（例えば、大当り遊技状態）に制御可能な遊技機であって、可変表示に対応する特定表示を表示する特定表示手段と、有利状態に制御されるか否かを判定する判定手段とを備え、特定表示の表示態様は、通常態様（本例では「○」：図４２（Ａ）参照）と特殊態様（本例では「○」の外側に６本の線が描かれている：図４３（Ｂ）参照）と特別態様（本例では「○」内に「×」が含まれる：図４２（Ｂ１）参照、「○」内に「×」が２つ含まれる：図４２（Ｂ２）参照）とを含み、判定手段の判定結果にもとづいて、特定表示を特別態様により表示する特別演出を実行可能な特別演出実行手段と、特定表示の表示態様が変化することを示唆する示唆演出を実行可能な示唆演出実行手段とをさらに備え、特殊態様により表示されている特定表示は、通常態様により表示されている特定表示よりも特別態様に変化しやすく、示唆演出実行手段は、特定表示が特殊態様により表示されているときに、示唆演出を実行する場合と、実行しない場合とがあり、演出後に保留表示の表示態様が変化する第１示唆演出と、演出後に保留表示の表示態様が変化しない第２示唆演出とを実行可能であり、特定表示が特殊態様により表示されているときには、特定表示が特殊態様により表示されていないときに比べて高い頻度で第２示唆演出を実行し、複数種類の示唆演出を実行可能であることを特徴とする。
　そのような構成により、遊技興趣を向上させることができる。
【００１０】
（手段２）手段１において、特別演出実行手段は、所定条件が成立したとき（例えば、演出制御用マイクロコンピュータ１００が、ステップＳ６７１０７で先読み演出を第２先読み演出パターンで実行すると決定し、ステップＳ６７１１２を実行したとき（始動入賞のタイミング）や、始動入賞後からその始動入賞にもとづく変動表示が開始されるまでの任意のシフトタイミングまたはその他の任意のタイミングで通常態様から特殊態様に変化させると決定し、そのタイミングに至ったとき）に特定表示を特殊態様で表示し、該特定表示に対応する可変表示が開始されるまでの第１タイミング（例えば、始動入賞後に１回目の保留表示のシフトが行われるタイミングや、任意のタイミング）または該第１タイミングとは異なる第２タイミング（例えば、始動入賞後に２回目の保留表示のシフトが行われるタイミングや、任意のタイミング）において該特定表示を特殊態様から特別態様に変化させて表示することが可能であり（例えば、演出制御用マイクロコンピュータ１００がステップＳ１８０３，Ｓ１８１１，Ｓ１８１３，Ｓ１８４５等を実行する部分。図３１，図４３〜図４４参照）、判定手段が有利状態に制御されると判定したときと有利状態に制御されないと判定したときとで、異なる割合により第１タイミングまたは第２タイミングにおいて特定表示を特殊態様から特別態様に変化させて表示する（例えば、演出制御用マイクロコンピュータ１００がステップＳ６７１０８等を実行する部分。図３１参照）ように構成されていてもよい。
　そのような構成によれば、特定表示が特殊態様で表示されたときに、どのタイミングで表示態様が変化するかに注目させることができ、遊技興趣を向上させることができる。
【００１１】
（手段３）手段１または手段２において、特定表示が特殊態様で表示されているときには新たに特定表示を特殊態様で表示することを制限する制限手段（例えば、演出制御用マイクロコンピュータ１００がステップＳ６７１０１，Ｓ６７１１１等を実行する部分）を備えるように構成されていてもよい。
　そのような構成によれば、複数の特定表示が特殊態様で表示されたときに、どの特定表示に注目すればよいか遊技者を混乱させてしまうことを防止することができる。
【００１２】
（手段４）手段１から手段３のうちのいずれかにおいて、特別演出実行手段は、判定手段が有利状態に制御されると判定したときには、有利状態に制御されないと判定したときに比べて高い割合で判定対象となった可変表示に対応する特定表示を第２特別態様で表示する特別演出を実行し（例えば、演出制御用マイクロコンピュータ１００がステップＳ６７１０６，Ｓ６７１１４，Ｓ１８１３，Ｓ１８４５等を実行する部分。図２９（Ｂ）参照）、特定表示を特殊態様から第１特別態様または第２特別態様に変化させて表示する特別演出パターン（例えば、第２先読み演出パターン）により特別演出を行うときに、第１演出（例えば、黒い矢が飛んできて保留表示に刺さる示唆演出（成功パターン））を行い特定表示を特殊態様から第１特別態様または第２特別態様に変化させて表示するときと、該第１演出とは異なる第２演出（例えば、白い矢が飛んできて保留表示に刺さる示唆演出（成功パターン））を行い特定表示を特殊態様から第１特別態様または第２特別態様に変化させて表示するときとがあり、第１演出が行われるとき第２演出が行われるときとで異なる割合により特定表示を特殊態様から第１特別態様または第２特別態様に変化させて表示する（例えば、演出制御用マイクロコンピュータ１００がステップＳ６７１０６，Ｓ６７１１０，Ｓ１８１３，Ｓ１８４５等を実行する部分。図２９（Ｂ），図３２参照）ように構成されていてもよい。
　そのような構成によれば、特定表示が特殊態様で表示されたときに、第１演出と第２演出とのいずれが行われるかに注目させることができ、遊技興趣を向上させることができる。」と記載されているのを、
　
「【０００９】
（手段１）本発明による遊技機は、可変表示（例えば、第１特別図柄や第２特別図柄、演出図柄の変動表示）を行い、遊技者にとって有利な有利状態（例えば、大当り遊技状態）に制御可能な遊技機であって、可変表示に対応する
保留
保留
保留
保留
保留
保留
保留
保留
保留
保留
保留
保留
　そのような構成により、遊技興趣を向上させることができる。
【００１０】
（手段２）手段１において、特別演出実行手段は、所定条件が成立したとき（例えば、演出制御用マイクロコンピュータ１００が、ステップＳ６７１０７で先読み演出を第２先読み演出パターンで実行すると決定し、ステップＳ６７１１２を実行したとき（始動入賞のタイミング）や、始動入賞後からその始動入賞にもとづく変動表示が開始されるまでの任意のシフトタイミングまたはその他の任意のタイミングで通常態様から特殊態様に変化させると決定し、そのタイミングに至ったとき）に
保留
保留
保留
保留
保留
保留
　そのような構成によれば、
保留
【００１１】
（手段３）手段１または手段２において、
保留
保留
　そのような構成によれば、複数の
保留
保留
【００１２】
（手段４）手段１から手段３のうちのいずれかにおいて、特別演出実行手段は、判定手段が有利状態に制御されると判定したときには、有利状態に制御されないと判定したときに比べて高い割合で判定対象となった可変表示に対応する
保留
保留
保留
保留
保留
保留
保留
　そのような構成によれば、
保留
　と訂正する。
　
第２　当合議体の判断
　以下、本件訂正前の請求項１を、「訂正前請求項１」という。また、訂正前請求項１に係る発明を、「訂正前発明１」という。
　訂正後についても、「訂正前」を「訂正後」に変えて同様に、「訂正後請求項１」、「訂正後発明１」という。
　　
１　特許法第１２６条第１項ただし書（訂正の目的）について　
（１）訂正事項１　
　ア　訂正前請求項１において、例えば「
特定表示
特定表示
保留表示
保留表示
　イ　訂正事項１は、「特定表示」を「保留表示」に変更して記載を統一し、両者が同一の「表示」を意味するものとしたから、明瞭でない記載の釈明を目的とする訂正である。
　
（２）訂正事項２
　訂正事項１において特許請求の範囲の請求項１を訂正することに伴い、請求項１に対応した事項が記載されている、明細書の段落【０００９】〜【００１２】について、訂正事項１と同様の訂正をするものである。
　したがって、訂正事項２は、明瞭でない記載の釈明を目的とする訂正である。　
　　
（３）小括　
　訂正事項１及び２は、いずれも、特許法第１２６条第１項ただし書第３号に掲げる「明瞭でない記載の釈明」を目的とするものである。　
　　
２　特許法第１２６条第５項（新規事項の有無）について　
（１）訂正事項１について　
　請求項１の訂正についてみると、本件特許の明細書の段落【０２４３】、【０２５７】、【０２８６】、【０３２７】及び【０３２９】等の記載から、通常態様と特殊態様と特別態様を含むとともに表示態様が変化し得る「表示」は、「保留表示」であることは自明であるから、訂正後発明１は、願書に添付した明細書又は図面（以下「本件特許明細書等」という。）に記載されているといえる。
　したがって、訂正事項１は、本件特許明細書等の記載に基づくものであって、本件特許明細書等のすべてを総合することにより導かれる技術的事項との関係において新たな技術的事項を導入するものではなく、本件特許明細書等に記載した事項の範囲内においてされたものである。
　　
（２）訂正事項２について
　訂正事項２は、特許請求の範囲の請求項１に対応する明細書の段落【０００９】〜【００１２】について、訂正事項１と同様の訂正をしたものである。
　したがって、訂正事項２は、訂正事項１と同様の理由により、本件特許明細書等に記載した事項の範囲内においてしたものである。
　
（３）小括　
　訂正事項１及び２は、特許法第１２６条第５項の規定に適合する。
　　
３　特許法第１２６条第６項（特許請求の範囲の拡張又は変更の有無）について　
（１）訂正事項１について
　訂正事項１は、明瞭でない記載の釈明を目的とする訂正であって、本件特許明細書等の記載に接した当業者ならば、訂正前発明１を訂正後発明１のとおり理解したことは当然である。
　したがって、請求項１についての訂正事項１は、実質上特許請求の範囲を拡張するものではなく、かつ、実質上特許請求の範囲を変更するものでもない。　
　
（２）訂正事項２について
　訂正事項２は、特許請求の範囲の請求項１に対応する明細書の段落【０００９】〜【００１２】について、訂正事項１と同様の訂正をしたものである。
　したがって、訂正事項２の訂正は、実質上特許請求の範囲を拡張するものではなく、かつ、実質上特許請求の範囲を変更するものでもない。
　
（３）小括
　訂正事項１及び２は、特許法第１２６条第６項の規定に適合する。
第３　むすび
　以上のとおりであるから、訂正事項１及び２は、特許法第１２６条第１項ただし書第３号に掲げる事項を目的とするものであり、かつ同条第５項及び第６項の規定に適合する。
　よって、結論のとおり審決する。